(57)【要約】 【課題】  調査交差点の調査を容易にする調査原票を提供する。【解決手段】  調査交差点を調査する際に利用される調査原票１を、周辺地図４３１が表示された周辺図領域４３０および調査交差点の信号機に関する入力を促す信号機領域４１７などを備えた交差点原票１０と、道路記号が表示された道路記号領域およびこの道路記号領域の道路記号で特定される交差点接続道路において進入可能な交差点接続道路の入力を促す行先領域を備えた車線原票と、道路記号が表示された道路記号領域およびこの道路記号領域の道路記号で特定される交差点接続道路に調査交差点を介して接続された交差点接続道路の方面案内の入力を促す方面案内内容領域を備えた方面案内原票と、にて構成している。【選択図】 図１５
2007010905.tif 000002
【特許請求の範囲】
【請求項１】
複数の経路が交差する交差点を含む領域に関する調査内容の入力を促す調査フォームとして表示手段に表示される前記調査フォームに関するデータ構造の調査フォーム情報であって、
調査対象の前記交差点を含む交差点地図が前記表示手段で表示可能に前記交差点地図の入力を促す交差点地図領域として前記表示手段で表示される交差点地図入力領域情報、および、前記調査対象の交差点に関する事項の入力を促す交差点入力領域として前記表示手段で表示される交差点入力領域情報を備えた交差点関連入力情報と、
前記調査対象の交差点で交差する前記経路を識別するための経路識別事項の入力を促す経路識別入力領域として前記表示手段で表示される経路識別入力領域情報、および、前記経路識別入力領域に入力される経路識別事項に対応する前記経路に関する事項の入力を促す経路入力領域として前記表示手段で表示される経路入力領域情報を備えた経路関連入力情報と、
を具備したことを特徴とした調査フォーム情報。
【請求項２】
請求項１に記載の調査フォーム情報であって、
前記交差点関連入力情報は、第１の前記交差点地図の入力を促す第１の前記交差点地図領域として前記表示手段で表示される第１の前記交差点地図入力領域情報と、前記第１の交差点地図と縮尺が異なる第２の前記交差点地図の入力を促す第２の前記交差点地図領域として前記表示手段で表示される第２の前記交差点地図入力領域情報と、を備えた
ことを特徴とした調査フォーム情報。
【請求項３】
請求項１または請求項２に記載の調査フォーム情報であって、
前記交差点入力領域情報は、前記調査対象の交差点の名称の入力を促す交差点名称入力領域が前記交差点入力領域として前記表示手段で表示される交差点名称入力領域情報を備えた
ことを特徴とした調査フォーム情報。
【請求項４】
請求項１ないし請求項３のいずれかに記載の調査フォーム情報であって、
前記交差点入力領域情報は、前記調査対象の交差点における信号機の存在状態の入力を促す信号機入力領域が前記交差点入力領域として前記表示手段で表示される信号機入力領域情報を備えた
ことを特徴とした調査フォーム情報。
【請求項５】
請求項４に記載の調査フォーム情報であって、
前記信号機入力領域情報は、前記信号機が存在している旨を示す記号および存在していない旨を示す記号が表示された前記信号機入力領域として表示される
ことを特徴とした調査フォーム情報。
【請求項６】
請求項１ないし請求項５のいずれかに記載の調査フォーム情報であって、
前記交差点入力領域情報は、前記交差点地図を識別するための地図識別事項の入力を促す地図識別入力領域が前記交差点入力領域として前記表示手段で表示される地図識別入力領域情報を備えた
ことを特徴とした調査フォーム情報。
【請求項７】
請求項１ないし請求項６のいずれかに記載の調査フォーム情報であって、
前記交差点地図入力領域情報および前記交差点入力領域情報と、前記経路識別入力領域情報および前記経路入力領域情報と、は異なる表示画面上に表示される
ことを特徴とした調査フォーム情報。
【請求項８】
請求項７に記載の調査フォーム情報であって、
前記交差点入力領域情報は、前記調査対象の交差点を識別するための交差点識別事項の入力を促す交差点識別入力領域が前記交差点入力領域として前記表示手段で表示される交差点識別入力領域情報を備え、
前記経路入力領域情報は、前記交差点識別事項の入力を促す経路交差点識別入力領域が前記経路入力領域として前記表示手段で表示される経路交差点識別入力領域情報を備えた
ことを特徴とした調査フォーム情報。
【請求項９】
請求項８に記載の調査フォーム情報であって、
前記交差点識別入力領域情報および前記経路交差点識別入力領域情報は、前記異なる表示画面上における略等しい位置に表示される
ことを特徴とした調査フォーム情報。
【請求項１０】
請求項１ないし請求項９のいずれかに記載の調査フォーム情報であって、
前記経路関連入力情報は、
第１の前記経路識別入力領域として前記表示手段で表示される第１の前記経路識別入力領域情報、および、前記第１の経路識別入力領域に入力される経路識別事項に対応する前記経路の車線に関する事項の入力を促す第１の前記経路入力領域として前記表示手段で表示される第１の前記経路入力領域情報を備えた車線関連入力情報と、
第２の前記経路識別入力領域として前記表示手段で表示される第２の前記経路識別入力領域情報、および、前記第２の経路識別入力領域に入力される経路識別事項に対応する前記経路に前記調査対象の交差点を介して接続された経路を進行した際に到達する地点に関する事項の入力を促す第２の前記経路入力領域として前記表示手段で表示される第２の前記経路入力領域情報を備えた到達地点関連入力情報と、
を備えたことを特徴とした調査フォーム情報。
【請求項１１】
請求項１０に記載の調査フォーム情報であって、
前記第１の経路識別入力領域情報および前記第１の経路入力領域情報と、前記第２の経路識別入力領域情報および前記第２の経路入力領域情報と、は異なる表示画面上に表示される
ことを特徴とした調査フォーム情報。
【請求項１２】
請求項１０または請求項１１に記載の調査フォーム情報であって、
前記車線関連入力情報は、それぞれ４つの前記第１の経路識別入力領域情報および前記第１の経路入力領域情報を備えた
ことを特徴とした調査フォーム情報。
【請求項１３】
請求項１０ないし請求項１２のいずれかに記載の調査フォーム情報であって、
前記到達地点関連入力情報は、それぞれ４つの前記第２の経路識別入力領域情報および前記第２の経路入力領域情報を備えた
ことを特徴とした調査フォーム情報。
【請求項１４】
請求項１０ないし請求項１３のいずれかに記載の調査フォーム情報であって、
前記第１の経路入力領域情報は、前記経路における前記調査対象の交差点直近に存在する車線の数の入力を促す直近数入力領域が前記第１の経路入力領域として表示される直近数入力領域情報を備えた
ことを特徴とした調査フォーム情報。
【請求項１５】
請求項１０ないし請求項１４のいずれかに記載の調査フォーム情報であって、
前記第１の経路入力領域情報は、前記経路における前記調査対象の交差点直近での車線の増減数の入力を促す増減数入力領域が前記第１の経路入力領域として表示される増減数入力領域情報を備えた
ことを特徴とした調査フォーム情報。
【請求項１６】
請求項１０ないし請求項１５のいずれかに記載の調査フォーム情報であって、
前記第１の経路入力領域情報は、前記車線での前記調査対象の交差点における進行可能な方向の入力を促す進行方向入力領域が前記第１の経路入力領域として表示される進行方向入力領域情報を備えた
ことを特徴とした調査フォーム情報。
【請求項１７】
請求項１６に記載の調査フォーム情報であって、
前記進行方向入力領域情報は、略十字の図形が表示された前記進行方向入力領域として表示される
ことを特徴とした調査フォーム情報。
【請求項１８】
請求項１０ないし請求項１７のいずれかに記載の調査フォーム情報であって、
前記第１の経路入力領域情報は、前記進行可能な方向に進行した際に進入する前記経路の前記経路識別事項の入力を促す進行経路識別入力領域が前記第１の経路入力領域として表示される進行経路識別入力領域情報を備えた
ことを特徴とした調査フォーム情報。
【請求項１９】
請求項１０ないし請求項１８のいずれかに記載の調査フォーム情報であって、
前記第１の経路入力領域情報は、前記経路における進行規制の入力を促す進行規制入力領域が前記第１の経路入力領域として表示される進行規制入力領域情報を備えた
ことを特徴とした調査フォーム情報。
【請求項２０】
請求項１０ないし請求項１９のいずれかに記載の調査フォーム情報であって、
前記第２の経路入力領域情報は、前記調査対象の交差点を介して接続された経路を進行した際に到達する地点の名称の入力を促す地点名称入力領域が前記第２の経路入力領域として表示される地点名称入力領域情報を備えた
ことを特徴とした調査フォーム情報。
【請求項２１】
請求項２０に記載の調査フォーム情報であって、
前記第２の経路入力領域情報は、前記地点名称入力領域に入力される名称を有する地点に接続された前記経路の前記経路識別事項の入力を促す地点経路識別入力領域が前記第２の経路入力領域として表示される地点経路識別入力領域情報を備えた
ことを特徴とした調査フォーム情報。
【請求項２２】
請求項１ないし請求項２１のいずれかに記載の調査フォーム情報により表示される前記調査フォームが印刷媒体に印刷出力された
ことを特徴とした調査シート。
【請求項２３】
請求項２２に記載の調査シートであって、
従前に入力された調査内容が前記調査フォームにて入力が促された領域に印刷出力された
ことを特徴とした調査シート。
【請求項２４】
請求項２２または請求項２３に記載の調査シートであって、
前記調査対象の交差点が存在する地域に応じた縮尺の前記交差点地図が前記交差点地図入力領域に表示された
ことを特徴とした調査シート。
【請求項２５】
請求項１ないし請求項２１のいずれかに記載の調査フォーム情報を取得する情報取得手段と、
この情報取得手段で取得した前記調査フォーム情報に基づいて、複数の経路が交差する交差点を含む領域に関する調査内容の入力を促す前記調査フォームを表示手段で表示させる表示制御手段と、
前記調査フォームに基づいて入力された前記調査内容に関する調査内容情報を生成する調査内容情報生成手段と、
を具備したことを特徴とした情報生成装置。
【発明の詳細な説明】
【技術分野】
【０００１】
本発明は、交差点に関する調査内容の入力を促す調査フォーム情報、調査シート、および、情報生成装置に関する。
【背景技術】
【０００２】
従来、例えばナビゲーション装置に利用される地図情報の制作者は、地図情報を陳腐化させないために定期的に更新処理を実施していた。例えば交差点の属性、すなわち信号の有無、交差点名称、方面案内、レーン、交通規制や、交差点の道路接続形状などの変化を調査する場合、調査箇所を示す円印や道路形状が表された道路広域図を作成して、調査対象箇所をあらかじめ計画する。そして、交差点の所在地に赴き、交差点属性や交差点形状を調査して、この調査内容に基づいて地図情報の更新処理を実施していた。
【発明の開示】
【発明が解決しようとする課題】
【０００３】
しかしながら、上述したような構成では、道路広域図に調査箇所の円印や道路形状の情報しか表されていないため、交差点毎の交差点属性を入力する作業を実施しにくいおそれがあるという問題点が一例として挙げられる。
【０００４】
本発明の目的は、このような点に鑑みて、交差点の調査を容易にする調査フォーム情報、調査シート、および、情報生成装置を提供することである。
【課題を解決するための手段】
【０００５】
請求項１に記載の発明は、複数の経路が交差する交差点を含む領域に関する調査内容の入力を促す調査フォームとして表示手段に表示される前記調査フォームに関するデータ構造の調査フォーム情報であって、調査対象の前記交差点を含む交差点地図が前記表示手段で表示可能に前記交差点地図の入力を促す交差点地図領域として前記表示手段で表示される交差点地図入力領域情報、および、前記調査対象の交差点に関する事項の入力を促す交差点入力領域として前記表示手段で表示される交差点入力領域情報を備えた交差点関連入力情報と、前記調査対象の交差点で交差する前記経路を識別するための経路識別事項の入力を促す経路識別入力領域として前記表示手段で表示される経路識別入力領域情報、および、前記経路識別入力領域に入力される経路識別事項に対応する前記経路に関する事項の入力を促す経路入力領域として前記表示手段で表示される経路入力領域情報を備えた経路関連入力情報と、を具備したことを特徴とした調査フォーム情報である。
【０００６】
請求項２２に記載の発明は、請求項１ないし請求項２１のいずれかに記載の調査フォーム情報により表示される前記調査フォームが印刷媒体に印刷出力されたことを特徴とした調査シートである。
【０００７】
請求項２５に記載の発明は、請求項１ないし請求項２１のいずれかに記載の調査フォーム情報を取得する情報取得手段と、この情報取得手段で取得した前記調査フォーム情報に基づいて、複数の経路が交差する交差点を含む領域に関する調査内容の入力を促す前記調査フォームを表示手段で表示させる表示制御手段と、前記調査フォームに基づいて入力された前記調査内容に関する調査内容情報を生成する調査内容情報生成手段と、を具備したことを特徴とした情報生成装置である。
【発明を実施するための最良の形態】
【０００８】
以下、本発明に係る一実施の形態を図面に基づいて説明する。本実施の形態では、情報生成装置としての地図情報生成装置であって、例えば車両などの移動体に搭載される図示しないナビゲーション装置による移動経路の設定処理や地図の表示処理などに利用される地図情報を生成する構成を例示して説明する。図１は、地図情報生成装置の概略構成を示すブロック図である。図２は、地図情報を構成する表示用データのテーブル構造を模式的に示す概念図である。図３は、地図情報を構成するマッチングデータのテーブル構造を模式的に示す概念図である。図４は、リンク情報テーブルの概略構成を示す模式図である。図５は、ノード情報テーブルの概略構成を示す模式図である。図６は、レーン情報テーブルの概略構成を示す模式図である。図７は、方面案内情報テーブルの概略構成を示す模式図である。図８は、調査フォーム情報テーブルの概略構成を示す模式図である。図９は、交差点ヘッダ領域情報の概略構成を示す模式図である。図１０は、交差点フッタ領域情報の概略構成を示す模式図である。図１１は、第１の車線関連領域情報の概略構成を示す模式図である。図１２は、車線フッタ領域情報の概略構成を示す模式図である。図１３は、第１の方面案内関連領域情報の概略構成を示す模式図である。図１４は、方面案内フッタ領域情報の概略構成を示す模式図である。図１５は、交差点原票を示す模式図である。図１６は、車線原票を示す模式図である。図１７は、方面案内原票を示す模式図である。
【０００９】
〔地図情報生成装置の構成〕
図１において、１００は地図情報生成装置である。この地図情報生成装置１００は、図示しないナビゲーション装置による移動経路の設定処理、あるいは、例えば施設や工場あるいは店舗などの地物や交差点に関する各種情報を道路などとともに地図として図示しない表示装置に表示させるための地図情報を生成する。また、この地図情報生成装置１００には、各種情報を紙や転写シートあるいはプラスチックシートなどの印刷媒体に印刷出力可能な印刷手段１６０が接続されている。そして、地図情報生成装置１００は、入力部１１０と、表示手段としての表示部１２０と、記憶手段１３０と、メモリ１４０と、処理部１５０と、などを備えている。
【００１０】
入力部１１０は、入力操作される図示しない各種操作ボタンや操作つまみなどを有している。この操作ボタンや操作つまみの入力操作の内容としては、例えば地図情報生成装置１００の動作内容の設定などの設定事項である。具体的には、新たな情報の生成や取得、各種情報の検索などが例示できる。そして、入力部１１０は、設定事項の入力操作により、所定の信号を処理部１５０へ適宜出力して設定させる。
【００１１】
表示部１２０は、処理部１５０にて制御され処理部１５０からの画像データの信号を画面表示させる。この表示部１２０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。また、表示部１２０に表示させる画像データとしては、地物や交差点に関する情報や記憶手段１３０に記憶された地図情報に基づく地図などの画像データなどが例示できる。
【００１２】
記憶手段１３０は、例えば図２ないし図７に示すような地図情報と、図８に示すような調査フォーム情報テーブル３００と、などを格納、すなわち読み出し可能に記憶する。ここで、所定の道路に存在する車線のうち、進行方向が限定されている車線をレーンと適宜称して説明する。この記憶手段１３０としては、ＨＤ（Hard Disk）、ＤＶＤ（Digital Versatile Disc）、光ディスク、メモリカードなどの記録媒体に読み出し可能に記憶するドライブやドライバなどを備えた構成などが例示できる。
【００１３】
ここで、地図情報は、図２に示すようないわゆるＰＯＩ（Point Of Interest）データである表示用データＶＭと、図３に示すようなマッチングデータＭＭと、図４に示すようなリンク情報テーブル２００と、図５に示すようなノード情報テーブル２３０と、図６に示すようなレーン情報テーブル２５０と、図７に示すような方面案内情報テーブル２７０と、図示しない記号関連情報と、などを備えている。
【００１４】
表示用データＶＭは、例えばそれぞれ固有の番号（以下、メッシュコードと称す）が付加された複数の表示用メッシュ情報ＶＭxを備えている。すなわち、表示用データＶＭは、一部の領域に関する表示用メッシュ情報ＶＭxに複数分割され、表示用メッシュ情報ＶＭxが縦横に複数連続して構成されている。また、表示用メッシュ情報ＶＭxは、所定の領域に関する下層の表示用メッシュ情報ＶＭxに分割されている。各表示用メッシュ情報ＶＭxは、設定された一辺の長さ、すなわち実際の地形上の長さを地図の縮尺に応じて短縮した長さで矩形形状に分割され、所定の角部分に地図情報の全体、例えば地球の地図における絶対座標ＺＰの情報を有している。
【００１５】
そして、表示用メッシュ情報ＶＭxは、例えば交差点の名称などの名称情報ＶＭxＡと、道路情報ＶＭxＢと、背景情報ＶＭxＣと、にて構成されている。名称情報ＶＭxＡは、その領域における他要素データである例えば交差点の名称や地域の名称などを絶対座標ＺＰとの位置関係で所定の位置に配置表示されるデータのテーブル構造に構成されている。道路情報ＶＭxＢは、その領域における道路要素データである道路を絶対座標ＺＰとの位置関係で所定の位置に配置表示させるデータのテーブル構造に構成されている。背景情報ＶＭxＣは、他要素データである著名な場所や建造物などを示すマークや、その著名な場所や建造物などを示す他要素データである画像情報などを絶対座標ＺＰとの位置関係で所定の位置に配置表示されるデータのテーブル構造に構成されている。
【００１６】
一方、マッチングデータＭＭは、表示用データＶＭと同様に、例えばそれぞれ固有のメッシュコードが付加された一部の領域に関するマッチングメッシュ情報ＭＭxに複数分割され、マッチングメッシュ情報ＭＭxが縦横に複数連続して構成されている。また、マッチングメッシュ情報ＭＭxは、所定の領域に関する下層のマッチングメッシュ情報ＭＭxに分割されている。各マッチングメッシュ情報ＭＭxは、設定された一辺の長さ、すなわち実際の地形上の長さを地図の縮尺に応じて短縮した長さで矩形形状に分割され、所定の角部分に地図情報の全体、例えば地球の地図における絶対座標ＺＰの情報を有している。ここで、以下において、最上位の層、２層目にそれぞれ対応するマッチングメッシュ情報ＭＭxを１次メッシュ、２次メッシュのマッチングメッシュ情報ＭＭxと適宜称す。なお、マッチングメッシュ情報ＭＭxは、表示用メッシュ情報ＶＭxと異なる領域を表すデータ構造、すなわち分割される領域の縮尺が異なっていてもよい。また、縮尺が同一であれば固有の番号の情報を用いてデータを関連付けておけばよく、また縮尺が異なる場合であれば例えば絶対座標を用いてデータを関連付けるなどすればよい。このマッチングデータＭＭは、複数のリンク列ブロック情報を有している。
【００１７】
リンク列ブロック情報は、図３に示すように、道路を構成し地点を表すノードＮを結ぶ線分であるリンクＬが、所定の規則性で複数関連付けられたデータのテーブル構造である。具体的には、道路の所定の長さ例えば甲州街道や青梅街道などの連続する道路のように、リンクＬが折れ線上にそれぞれ連なった連続するリンク列となるもので関連付けられている。そして、リンクＬは、各リンクＬに付加された固有の番号のリンクＩＤを有している。
【００１８】
また、ノードＮは、各道路の交差点や屈曲点、分岐点、合流点などの結節点に相当する。そして、ノードＮは、リンク列ブロック情報におけるノードＮ毎に付加された固有の番号であるノードＩＤを有している。
【００１９】
リンク情報テーブル２００は、リンク情報２１０が複数記録されたテーブル構造に構成されている。リンク情報２１０は、上述したリンク列ブロック情報の各リンクＬに関連付けられた情報である。このリンク情報２１０は、オブジェクトＩＤ情報２１１と、道路種別情報２１２と、リンク種別情報２１３と、始点ノードＩＤ情報２１４と、終点ノードＩＤ情報２１５と、国道県道番号情報２１６と、路線名称情報２１７と、道路形状情報２１８と、などが１つのデータ構造として構成されている。
【００２０】
オブジェクトＩＤ情報２１１は、各リンクＬのリンクＩＤに関連付けられ、各リンク情報２１０を特定する固有の情報である。このオブジェクトＩＤ情報２１１には、リンクＬのリンクＩＤが記録され、このオブジェクトＩＤ情報２１１によりリンク情報２１０に対するリンクＬが特定される。なお、オブジェクトＩＤ情報２１１は、各リンクＬを特定する情報が記録されていればよく、リンクＩＤ以外に例えばリンクＬの座標などが記録されているものであってもよい。道路種別情報２１２は、オブジェクトＩＤ情報２１１で特定されるリンクＬに対応する道路の種別に関する情報である。具体的には、この道路種別情報２１２には、例えばリンクＬが有料道路であるか否か、本線か否か、国道であるか県道であるか否か、一方通行道路であるか否か、トンネルであるか否かなどのフラグ情報が記録される。さらに、リンクＬの区間距離や、制限速度に関する情報などが記録されていてもよい。リンク種別情報２１３は、オブジェクトＩＤ情報２１１で特定されるリンクＬの種別に関する情報である。具体的には、このリンク種別情報２１３には、例えばリンクＬが交差点内においてリンクＬの連結を表すためのショートリンク（以下、交差点内リンクと称す）Ｌか否か、いわゆる上下線が分離された道路のリンクＬか否か、右折や左折専用のためのショートリンクＬか否かなどの情報が記録される。
【００２１】
始点ノードＩＤ情報２１４は、リンク列ブロック情報において、オブジェクトＩＤ情報２１１で特定されるリンクＬの始点に配置されるノードＮを特定するための情報である。この始点ノードＩＤ情報２１４には、リンクＬの始点に配置されるノードＮの例えばノードＩＤが記録される。なお、始点ノードＩＤ情報２１４には、ノードＮの座標や住所などが記録されているものであってもよい。終点ノードＩＤ情報２１５は、リンク列ブロック情報において、オブジェクトＩＤ情報２１１で特定されるリンクＬの終点に配置されるノードＮを特定するための情報である。この終点ノードＩＤ情報２１５には、始点ノードＩＤ情報２１４と同様の情報が記録される。
【００２２】
国道県道番号情報２１６は、オブジェクトＩＤ情報２１１にて特定されるリンクＬに対応する道路が県道や国道の場合、この県道や国道に付与された番号を例えば「１」や「１４」などの数字で表す情報である。路線名称情報２１７は、オブジェクトＩＤ情報２１１にて特定されるリンクＬに対応する道路に固有の名称が付与されている場合、この付与された例えば「青梅街道」などの名称を表す情報である。道路形状情報２１８は、オブジェクトＩＤ情報２１１にて特定されるリンクＬに対応する道路の形状に関する情報である。具体的には、この道路形状情報２１８には、例えば道路幅、車線数、中央分離帯や中央線を有するか否か、歩道を有するか否かなどの情報が記録されている。そして、道路形状情報２１８に中央線が存在するか否かに関する情報が記録されている状態は、後述する調査フォームとしての交差点原票フォーム４００の中央線領域５３３内の中央線存在文字５３３Ａまたは中央線非存在文字５３３Ｂを囲む丸形状の図示しない丸図形として表示される。
【００２３】
ノード情報テーブル２３０は、調査内容情報としても機能するノード情報２４０が複数記録されたテーブル構造に構成されている。ノード情報２４０は、リンク列ブロック情報の各ノードＮに関連付けられた情報である。このノード情報２４０は、オブジェクトＩＤ情報２４１と、接続リンク情報２４２と、ノード座標情報２４３と、分岐フラグ情報２４４と、信号機フラグ情報２４５と、固有地点情報２４６と、などが関連付けられた１つのデータに構成されている。
【００２４】
オブジェクトＩＤ情報２４１は、リンクＬの両端に位置されるノードＮのノードＩＤに関連付けられ、各ノード情報２４０を特定する固有の情報である。このオブジェクトＩＤ情報２４１には、例えばノードＩＤが記録され、このオブジェクトＩＤ情報２４１によりノード情報２４０に対するリンクＬが特定される。なお、オブジェクトＩＤ情報２４１は、ノードＮを特定するノードＮの座標に関する情報などが記録されているものであってもよい。接続リンク情報２４２は、オブジェクトＩＤ情報２４１にて特定されるノードＮに接続されるリンクＬに関する情報である。この接続リンク情報２４２には、例えばノードＮに接続されるリンクＬのリンクＩＤが記録される。ノード座標情報２４３は、オブジェクトＩＤ情報２４１にて特定されるノードＮの位置に関する情報である。このノード座標情報２４３には、例えば地図情報上におけるノードＮの緯度および経度を例えばＸ座標およびＹ座標で示す情報が記録される。なお、これらの位置座標に関する情報の他に、ノードＮの住所などが記録されていてもよい。
【００２５】
分岐フラグ情報２４４は、オブジェクトＩＤ情報２４１にて特定されるノードＮが交差点であるか否かを示すフラグ情報である。そして、分岐フラグ情報２４４には、例えばノードＮが単に地点を示すものである場合「０」が記録され、ノードＮが交差点である場合「１」が記録される。なお、分岐フラグ情報２４４が設けられない構成としてもよく、この場合、接続リンク情報２４２で２本以上のリンクＬと接続される場合に交差点であると判断する構成にしてもよい。
【００２６】
信号機フラグ情報２４５は、オブジェクトＩＤ情報２４１にて特定されるノードＮの地点に信号が存在するか否かを示すフラグ情報である。この信号機フラグ情報２４５には、信号機が存在しない場合「０」が記録され、信号機が存在する場合「１」が記録される。また、信号機の有無が調査されていない場合「０」、「１」のいずれの情報も記録されない。そして、信号機フラグ情報２４５に「０」が記録された状態は、交差点原票フォーム４００の後述する信号機入力領域としての信号機領域４１７内の信号非存在文字４１７Ｂを囲む丸形状の丸図形４１７Ｄとして表示される。また、「１」が記録された状態は、信号機領域４１７内の信号存在文字４１７Ａを囲む丸図形４１７Ｄとして表示される。さらに、「０」、「１」のいずれも記録されていない状態は、信号機領域４１７内の未調査文字４１７Ｃを囲む丸図形４１７Ｄとして表示される。
【００２７】
固有地点情報２４６は、オブジェクトＩＤ情報２４１にて特定されるノードＮの名称に関する情報である。固有地点情報２４６には、例えば、その地点の名称、または目印となる建物の名称、交差点の名称などが記録される。この固有地点情報２４６に交差点の名称が記録された状態は、交差点原票フォーム４００の後述する交差点名称入力領域としての交差点名称領域４１８に交差点名称４１８Ａとして表示される。
【００２８】
レーン情報テーブル２５０は、調査内容情報としても機能するレーン情報２６０が複数記録されたテーブル構造に構成されている。レーン情報２６０は、所定の交差点に接続する道路（以下、交差点接続道路と称す）における交差点直近のレーンに関する情報である。このレーン情報２６０は、オブジェクトＩＤ情報２６１と、矢印情報２６２と、直近車線数情報２６３と、車線数増減情報２６４と、流出側車線数情報２６５と、通行状態情報２６６と、などが関連付けられた１つのデータに構成されている。
【００２９】
オブジェクトＩＤ情報２６１は、交差点接続道路を特定するための情報である。このオブジェクトＩＤ情報２６１には、例えばオブジェクトＩＤ情報２８１と同様の情報が記録される。矢印情報２６２は、オブジェクトＩＤ情報２６１で特定される交差点接続道路のレーンにおいて進行可能な方向を示す矢印に関する情報である。例えば、２つのレーンが存在している交差点接続道路において、進行方向左側のレーンが左折および直進可能であり右側のレーンが右折のみが可能な場合、これらの進行可能な方向を矢印で表すための情報が記録される。この矢印情報２６２に矢印に関する情報が記録された状態は、後述する調査フォームとしての車線原票フォーム５００の進行経路識別入力領域としての行先領域５２５に、道路記号５２５Ａとして表示される。直近車線数情報２６３は、交差点接続道路における交差点直近の車線の数、すなわちレーンの数を表す情報である。この直近車線数情報２６３に車線数が記録された状態は、車線原票フォーム５００の後述する直近数入力領域としての直近車線数領域５２８や第１の流入車線数領域５３０に、直近車線数５２８Ａや第１の流入車線数５３０Ａとして表示される。
【００３０】
車線数増減情報２６４は、交差点接続道路における交差点直近に進入する際の車線数の増減に関する情報である。この車線数増減情報２６４には、進行方向右側の車線数の増減数や、進行方向左側の車線数の増減数が記録される。この車線数増減情報２６４に車線数の増減が記録された状態は、車線原票フォーム５００の後述する増減数入力領域としての第１の増減車線数領域５２９や第１の流入車線数領域５３０に、右増減数５２９Ａ、左増減数５２９Ｂや第１の流入車線数５３０Ａとして表示される。流出側車線数情報２６５は、交差点を指定方向に進行した際に進入する道路の車線数に関する情報である。この流出側車線数情報２６５に車線数が記録された状態は、車線原票フォーム５００の後述する流出車線数領域５３４に、流出車線数５３４Ａとして表示される。通行状態情報２６６は、指定方向に対応する車線から進行できるか否かに関する情報である。この通行状態情報２６６には、例えば進入禁止、通行禁止、指定方向外進行禁止や、これらの規制が実施される時間などに関する情報が記録される。また、通行状態情報２６６に規制に関する情報が記録された状態は、車線原票フォーム５００の後述する進行規制入力領域としての規制領域５３６に規制内容文字５３６Ａ１などとして表示される。
【００３１】
方面案内情報テーブル２７０は、調査内容情報としても機能する方面案内情報２８０が複数記録されたテーブル構造に構成されている。方面案内情報２８０は、交差点で直進や右左折した場合に到達する地名などの方面案内に関する情報である。この方面案内情報２８０は、オブジェクトＩＤ情報２８１と、方面名称情報２８２と、などが関連付けられた１つのデータに構成されている。
【００３２】
オブジェクトＩＤ情報２８１は、交差点接続道路を特定するための情報である。このオブジェクトＩＤ情報２８１には、例えば交差点を表すノードおよびこのノードに接続される他のノードのノードＩＤが記録され、これら２つのノードの特定により交差点接続道路が特定される。なお、オブジェクトＩＤ情報２８１に、交差点接続道路を特定する固有のＩＤを記録する構成としてもよい。方面名称情報２８２は、交差点に接続された各交差点接続道路を進行した際に到達する地名などの名称に関する情報である。この方面名称情報２８２に地名などの名称が記録された状態は、後述する調査フォームとしての方面案内原票フォーム６００の地点名称入力領域としての方面案内名称領域６２３Ｃに方面名称６２３Ｃ１として表示される。
【００３３】
調査フォーム情報テーブル３００は、図８に示すように、調査フォーム情報３１０が複数記録されたテーブル構造に構成されている。調査フォーム情報３１０は、交差点原票フォーム４００（図１５参照）、車線原票フォーム５００（図１６参照）、方面案内原票フォーム６００（図１７参照）として表示される情報である。ここで、交差点原票フォーム４００は、調査対象の交差点（以下、調査交差点と称す）の概略を調査する際に利用されるフォームである。車線原票フォーム５００は、交差点接続道路の車線を調査する際に利用されるフォームである。方面案内原票フォーム６００は、交差点接続道路の方面案内を調査する際に利用されるフォームである。なお、交差点原票フォーム４００などとしては、ＣＳＶ（Comma Separated Value）形式のものなどが例示できる。そして、調査フォーム情報３１０は、交差点関連入力情報としての交差点原票情報３２０と、経路関連入力情報を構成する車線関連入力情報としての車線原票情報３３０と、経路関連入力情報を構成する到達地点関連入力情報としての方面案内原票情報３４０と、などが関連付けられた１つのデータに構成されている。
【００３４】
交差点原票情報３２０は、交差点原票フォーム４００として表示される情報である。そして、交差点原票情報３２０は、交差点ヘッダ領域情報３２１と、第１の交差点地図入力領域情報としての周辺図領域情報３２２と、第２の交差点地図入力領域情報としての交差点形状領域情報３２３と、交差点フッタ領域情報３２４と、などが関連付けられた１つのデータに構成されている。
【００３５】
交差点ヘッダ領域情報３２１は、交差点原票フォーム４００における左上側に設けられたヘッダ領域４１０に各種情報や領域として表示される情報である。そして、交差点ヘッダ領域情報３２１は、図９に示すように、ファイル名情報３２１Ａと、保存日時情報３２１Ｂと、交差点種別情報３２１Ｃと、調査日付領域情報３２１Ｄと、カメラＩＤ領域情報３２１Ｅと、作業者領域情報３２１Ｆと、信号機入力領域情報としての信号機領域情報３２１Ｇと、交差点名称入力領域情報としての交差点名称領域情報３２１Ｈと、画像ＩＤ領域情報３２１Ｉと、緯度経度情報３２１Ｊと、住所情報３２１Ｋと、コメント欄情報３２１Ｌと、などが関連付けられた１つのデータに構成されている。
【００３６】
ファイル名情報３２１Ａは、ヘッダ領域４１０における左上側に、調査フォーム情報３１０のファイル名４１１として表示される情報である。保存日時情報３２１Ｂは、ファイル名４１１の右側に、調査フォーム情報３１０の保存日時４１２として表示される情報である。交差点種別情報３２１Ｃは、保存日時４１２の右側に、調査交差点の種別を表す交差点種別数字４１３として表示される情報である。この交差点種別数字４１３として表される種別としては、クランク形状、ランプの出入口などが例示できる。
【００３７】
調査日付領域情報３２１Ｄは、ファイル名４１１などの下側に、調査した日付の入力を促す調査日付領域４１４として表示される情報である。カメラＩＤ領域情報３２１Ｅは、調査日付領域４１４の下側に、例えば調査交差点を撮像したカメラのＩＤの入力を促すカメラＩＤ領域４１５として表示される情報である。作業者領域情報３２１Ｆは、カメラＩＤ領域４１５の下側に、調査を実施した作業者名の入力を促す作業者領域４１６として表示される情報である。
【００３８】
信号機領域情報３２１Ｇは、作業者領域４１６の下側に、調査交差点に信号機が有るか否かなどの入力を促す信号機領域４１７として表示される情報である。この信号機領域４１７には、調査交差点に信号機が存在している旨を表す「有」の信号存在文字４１７Ａと、存在していない旨を表す「無」の信号非存在文字４１７Ｂと、調査を実施していない旨を表す「未調査」の未調査文字４１７Ｃと、が左右方向に並んで表示されている。また、信号機領域情報３２１Ｇは調査交差点に対応するノード情報２４０の信号機フラグ情報２４５に関連付けられており、信号機領域４１７には、上述したように信号機フラグ情報２４５に基づいて、丸図形４１７Ｄが信号存在文字４１７Ａ、信号非存在文字４１７Ｂ、未調査文字４１７Ｃのいずれかを囲む状態で表示される。
【００３９】
交差点名称領域情報３２１Ｈは、信号機領域４１７の下側に、調査交差点の名称の入力を促す交差点名称領域４１８として表示される情報である。この交差点名称領域情報３２１Ｈは調査交差点に対応するノード情報２４０の固有地点情報２４６に関連付けられており、交差点名称領域４１８には、上述したように固有地点情報２４６に記録された名称が交差点名称４１８Ａとして適宜表示される。
【００４０】
画像ＩＤ領域情報３２１Ｉは、交差点名称領域４１８の下側に、例えば調査交差点の画像のＩＤの入力を促す画像ＩＤ領域４１９として表示される情報である。緯度経度情報３２１Ｊは、画像ＩＤ領域４１９の下側に、例えば調査交差点の緯度経度４２０として表示される情報である。住所情報３２１Ｋは、緯度経度４２０の下側に、例えば調査交差点の住所４２１として表示される情報である。コメント欄情報３２１Ｌは、住所４２１の下側に、各種コメントの入力を促すコメント欄４２２として表示される情報である。
【００４１】
周辺図領域情報３２２は、コメント欄４２２の下側に、第１の交差点地図領域としての周辺図領域４３０として表示される情報である。この周辺図領域４３０には、リンクＬおよびノードＮで表される調査交差点の第１の交差点地図としての周辺地図４３１が表示されている。
【００４２】
ここで、調査交差点が東京、名古屋、大阪などの都心部、すなわち道路が密集した地域（以下、大都市部と称す）に存在する場合、周辺図領域４３０には、２次メッシュのマッチングメッシュ情報ＭＭxを１６分割したものに対応する周辺地図４３１が表示される。すなわち、調査交差点が大都市部に存在する場合、２次メッシュのマッチングメッシュ情報ＭＭxに対応するものよりも縮尺が大きい周辺地図４３１が表示される。
【００４３】
また、調査交差点が大都市部以外の地域でありかつ人口が約３万人以上の市区町村部、すなわち大都市部よりも道路が密集していない箇所が多いと考えられる地域（以下、中都市部と称す）に存在する場合、周辺図領域４３０には、２次メッシュのマッチングメッシュ情報ＭＭxに対応する周辺地図４３１が表示される。すなわち、調査交差点が中都市部に存在する場合、大都市部に存在する場合と比べて縮尺が小さい周辺地図４３１が表示される。
【００４４】
さらに、調査交差点が中都市部よりも例えば人口が少ない地域、すなわち中都市部よりも道路が密集していない箇所が多いと考えられる地域（以下、小都市部と称す）に存在する場合、周辺図領域４３０には、１次メッシュのマッチングメッシュ情報ＭＭxに対応する周辺地図４３１が表示される。すなわち、調査交差点が小都市部に存在する場合、大都市部および中都市部に存在する場合と比べて縮尺が小さい周辺地図４３１が表示される。
【００４５】
また、この周辺地図４３１における調査交差点を表す代表のノード（以下、代表ノードと称す）Ｎdの近傍には、この代表ノードＮdのノードＩＤが代表ノードＩＤ４３１Ａとして表示されている。さらに、調査交差点に接続されている各交差点接続道路上の所定の地点を表すノードＮ近傍には、それぞれの交差点接続道路を識別するためのアルファベットを表す道路記号４３１Ｂとして表示されている。
【００４６】
交差点形状領域情報３２３は、交差点原票フォーム４００における左右方向略中央から右側にかけての部分に、第２の交差点地図領域としての交差点形状領域４４０として表示される情報である。この交差点形状領域４４０には、周辺地図４３１の調査交差点近傍が拡大された第２の交差点地図としての交差点近傍地図４４１が表示されている。
【００４７】
交差点フッタ領域情報３２４は、交差点原票フォーム４００における下側に設けられたフッタ領域４５０に各種情報や領域として表示される情報である。そして、交差点フッタ領域情報３２４は、図１０に示すように、作業者署名欄情報３２４Ａと、調査内容領域情報３２４Ｂと、チェック欄情報３２４Ｃと、地図識別入力領域情報としてのロット番号領域情報３２４Ｄと、交差点識別入力領域情報としての交差点ＩＤ領域情報３２４Ｅと、ページ番号領域情報３２４Ｆと、位置領域情報３２４Ｇと、ノードＩＤ領域情報３２４Ｈと、などが関連付けられた１つのデータに構成されている。ここで、信号機領域情報３２１Ｇと、交差点名称領域情報３２１Ｈと、ロット番号領域情報３２４Ｄと、交差点ＩＤ領域情報３２４Ｅと、にて、本発明の交差点入力領域情報が構成されている。
【００４８】
作業者署名欄情報３２４Ａは、フッタ領域４５０における周辺図領域４３０の下側に、作業者の署名を促す作業者署名欄４５１として表示される情報である。調査内容領域情報３２４Ｂは、作業者署名欄４５１の下側に、調査内容を表す調査内容領域４５２として表示される。この調査内容領域４５２には、調査交差点が詳細に調査される対象である旨を表す「フルスペック」、または、簡易的に調査される対象である「簡易」の文字が表示されている。ここで、詳細な調査とは、交差点原票フォーム４００と、車線原票フォーム５００と、方面案内原票フォーム６００と、に関する調査を意味する。また、簡易的な調査とは、交差点原票フォーム４００の信号機領域４１７および交差点名称領域４１８に関する調査、すなわち信号機の有無と調査交差点の名称の調査を意味する。チェック欄情報３２４Ｃは、作業者署名欄４５１の右側に、信号機の有無を調査した旨、交差点名称を調査した旨、交差点の規制を調査した旨、レーンを調査した旨、車線数を調査した旨、方面案内を調査した旨の印の入力を促すチェック欄４５３として表示される情報である。
【００４９】
ロット番号領域情報３２４Ｄは、チェック欄４５３の右側に、地図識別入力領域としてのロット番号領域４５４として表示される情報である。このロット番号領域４５４には、調査交差点を含む例えばマッチングメッシュ情報ＭＭxの地図識別事項としてのメッシュコード４５４Ａが表示されている。交差点ＩＤ領域情報３２４Ｅは、ロット番号領域４５４の右側に、交差点識別入力領域としての交差点ＩＤ領域４５５として表示される情報である。この交差点ＩＤ領域４５５には、メッシュコード４５４Ａのマッチングメッシュ情報ＭＭx上における調査交差点の交差点識別事項としての交差点ＩＤ４５５Ａが表示されている。ページ番号領域情報３２４Ｆは、交差点ＩＤ領域４５５の右側に、ページ番号の入力を促すページ番号領域４５６として表示される情報である。ここで、信号機領域４１７と、交差点名称領域４１８と、ロット番号領域４５４と、交差点ＩＤ４５５Ａと、にて、本発明の交差点入力領域が構成されている。
【００５０】
位置領域情報３２４Ｇは、ロット番号領域４５４の下側に、位置領域４５７として表示される情報である。この位置領域４５７には、ロット番号領域４５４に表示されたメッシュコードのマッチングメッシュ情報ＭＭxよりも下層のマッチングメッシュ情報ＭＭxのうち、調査交差点を含むマッチングメッシュ情報ＭＭxのメッシュコードの下２桁の番号が位置番号４５７Ａとして表示されている。ノードＩＤ領域情報３２４Ｈは、交差点ＩＤ領域４５５の下側に、ノードＩＤ領域４５８として表示される情報である。このノードＩＤ領域４５８には、周辺地図４３１の代表ノードＩＤ４３１ＡがノードＩＤ４５８Ａとして表示されている。
【００５１】
車線原票情報３３０は、交差点原票フォーム４００とは異なる表示画面において、車線原票フォーム５００として表示される情報である。そして、車線原票情報３３０は、図８に示すように、第１の車線関連領域情報３３１と、第２の車線関連領域情報３３２と、第３の車線関連領域情報３３３と、第４の車線関連領域情報３３４と、車線フッタ領域情報３３５と、などが関連付けられた１つのデータに構成されている。なお、第１の車線関連領域情報３３１、第２の車線関連領域情報３３２、第３の車線関連領域情報３３３、および、第４の車線関連領域情報３３４は、同一の構成を有しているため説明を簡略化する。
【００５２】
第１の車線関連領域情報３３１は、車線原票フォーム５００のメイン領域５１０における右側に設けられた第１の車線関連領域５２０Ａに、調査交差点の交差点接続道路のうちいずれか１つの車線に関する各種情報や領域として表示される情報である。そして、第１の車線関連領域情報３３１は、図１１に示すように、第１の経路識別入力領域情報としての道路記号領域情報３３１Ａと、コメント欄情報３３１Ｂと、全景領域情報３３１Ｃと、レーン番号領域情報３３１Ｄと、進行経路識別入力領域情報としての行先領域情報３３１Ｅと、進行方向入力領域情報としての進行可能方向領域情報３３１Ｆと、第１の画像ＩＤ領域情報３３１Ｇと、直近数入力領域情報としての直近車線数領域情報３３１Ｈと、増減数入力領域情報としての第１の増減車線数領域情報３３１Ｉと、第１の流入車線数領域情報３３１Ｊと、第２の増減車線数領域情報３３１Ｋと、第２の流入車線数領域情報３３１Ｌと、中央線領域情報３３１Ｍと、流出車線数領域情報３３１Ｎと、第２の画像ＩＤ領域情報３３１Ｏと、進行規制入力領域情報としての規制領域情報３３１Ｐと、などが関連付けられた１つのデータに構成されている。
【００５３】
道路記号領域情報３３１Ａは、第１の車線関連領域５２０Ａにおける上側に、第１の経路識別入力領域としての道路記号領域５２１として表示される情報である。この道路記号領域５２１には、交差点原票フォーム４００に表示された交差点接続道路の道路記号４３１Ｂのうちいずれか１つと同じアルファベットが経路識別事項としての道路記号５２１Ａとして表示されている。コメント欄情報３３１Ｂは、道路記号領域５２１の下側に、各種コメントの入力を促すコメント欄５２２として表示される情報である。全景領域情報３３１Ｃは、コメント欄５２２の下側に、例えば交差点接続道路の景観の入力を促す全景領域５２３として表示される情報である。
【００５４】
レーン番号領域情報３３１Ｄは、全景領域５２３の下側に、左右方向に並んだ７個のレーン番号領域５２４として表示される情報である。これらレーン番号領域５２４には、レーンを特定する「１」〜「７」の番号がそれぞれ表示されている。そして、これらのレーン番号領域５２４の番号が小さいほど、交差点接続道路に存在する左側のレーンを表す。行先領域情報３３１Ｅは、７個のレーン番号領域５２４のそれぞれの下側に、レーン番号領域５２４で特定されるレーンを走行した際に進入可能な交差点接続道路の入力を促す行先領域５２５として表示される情報である。この行先領域情報３３１Ｅは道路記号５２１Ａで特定される交差点接続道路に対応するレーン情報２６０の矢印情報２６２に関連付けられており、行先領域５２５には、上述したように矢印情報２６２に記録された矢印の方向に進行した際に進入する交差点接続道路の道路記号５２５Ａが適宜表示される。
【００５５】
進行可能方向領域情報３３１Ｆは、７個の行先領域５２５のそれぞれの下側に、レーン番号領域５２４で特定されるレーンを走行した際に進入可能な方向を示す矢印の入力を促す進行方向入力領域としての進行可能方向領域５２６として表示される情報である。この進行可能方向領域５２６には、点線の十字図形５２６Ａが表示されている。すなわち、進行可能方向領域５２６は、作業者に十字図形５２６Ａの十字に略沿って、矢印の入力を促す構成を有している。第１の画像ＩＤ領域情報３３１Ｇは、進行可能方向領域５２６の下側に、例えば各レーンの画像のＩＤの入力を促す画像ＩＤ領域５２７として表示される情報である。
【００５６】
直近車線数領域情報３３１Ｈは、画像ＩＤ領域５２７の下側に、交差点直近の車線数の入力を促す直近車線数領域５２８として表示される情報である。この直近車線数領域情報３３１Ｈはレーン情報２６０の直近車線数情報２６３に関連付けられており、直近車線数領域５２８には、上述したように直近車線数情報２６３に記録された車線数が直近車線数５２８Ａとして適宜表示される。第１の増減車線数領域情報３３１Ｉは、直近車線数領域５２８の下側に、交差点直近に進入する際に右側および左側に増減する車線数の入力を促す第１の増減車線数領域５２９として表示される情報である。この第１の増減車線数領域情報３３１Ｉはレーン情報２６０の車線数増減情報２６４に関連付けられており、第１の増減車線数領域５２９には、上述したように車線数増減情報２６４に記録された車線数が右増減数５２９Ａ、左増減数５２９Ｂとして適宜表示される。第１の流入車線数領域情報３３１Ｊは、第１の増減車線数領域５２９の下側に、交差点接続道路における交差点直近手前の車線数の入力を促す第１の流入車線数領域５３０として表示される情報である。この第１の流入車線数領域情報３３１Ｊは例えば直近車線数情報２６３および車線数増減情報２６４に関連付けられ、第１の流入車線数領域５３０には、直近車線数５２８Ａから右増減数５２９Ａおよび左増減数５２９Ｂを減じた車線数が第１の流入車線数５３０Ａとして適宜表示される。第２の増減車線数領域情報３３１Ｋは、第１の流入車線数領域５３０の下側に、第２の増減車線数領域５３１として表示される情報である。第２の流入車線数領域情報３３１Ｌは、第２の増減車線数領域５３１の下側に、第２の流入車線数領域５３２として表示される情報である。
【００５７】
中央線領域情報３３１Ｍは、直近車線数領域５２８などの右側に、交差点接続道路に中央線が存在しているか否かの入力を促す中央線領域５３３として表示される情報である。この中央線領域５３３には、中央線が存在している旨を表す「有」の中央線存在文字５３３Ａ、存在していない旨を表す「無」の中央線非存在文字５３３Ｂが上下方向に並んで表示されている。また、中央線領域情報３３１Ｍは道路記号５２１Ａで識別される交差点接続道路に対応するリンク情報２１０の道路形状情報２１８に関連付けられており、中央線領域５３３には、上述したように道路形状情報２１８に基づいて、丸図形が中央線存在文字５３３Ａまたは中央線非存在文字５３３Ｂを囲む状態で表示される。流出車線数領域情報３３１Ｎは、中央線領域５３３の右側に、調査交差点を指定方向に進行した際に進入する交差点接続道路の車線数の入力を促す流出車線数領域５３４として表示される情報である。この流出車線数領域情報３３１Ｎはレーン情報２６０の流出側車線数情報２６５に関連付けられており、流出車線数領域５３４には、上述したように流出側車線数情報２６５に記録された車線数が流出車線数５３４Ａとして適宜表示される。第２の画像ＩＤ領域情報３３１Ｏは、流出車線数領域５３４の下側に、画像のＩＤの入力を促す画像ＩＤ領域５３５として表示される情報である。
【００５８】
規制領域情報３３１Ｐは、第２の流入車線数領域５３２の下側に、進行規制に関する情報の入力を促す４個の規制領域５３６として表示される情報である。この規制領域５３６は、「進入禁止」、「通行禁止」、「指定方向外進行禁止」のいずれかの規制内容文字５３６Ａ１の入力を促す規制内容領域５３６Ａと、規制内容の記号の入力を促す規制記号領域５３６Ｂと、規制が実施される日時などの入力を促す規制条件領域５３６Ｃと、画像のＩＤの入力を促す画像ＩＤ領域５３６Ｄと、を備えている。また、規制領域情報３３１Ｐはレーン情報２６０の通行状態情報２６６に関連付けられており、規制領域５３６には、上述したように通行状態情報２６６に記録された各種情報が規制内容文字５３６Ａ１などとして適宜表示される。
【００５９】
第２の車線関連領域情報３３２、第３の車線関連領域情報３３３、および、第４の車線関連領域情報３３４は、第１の車線関連領域５２０Ａの右側に並んで設けられた第２の車線関連領域５２０Ｂ、第３の車線関連領域５２０Ｃ、および、第４の車線関連領域５２０Ｄに、それぞれ異なる交差点接続道路に関する上述した各種情報や領域として表示される情報である。
【００６０】
車線フッタ領域情報３３５は、車線原票フォーム５００における右下側に設けられたフッタ領域５４０に各種情報や領域として表示される情報である。そして、車線フッタ領域情報３３５は、図１２に示すように、ロット番号領域情報３３５Ａと、経路交差点識別入力領域情報としての交差点ＩＤ領域情報３３５Ｂと、ページ番号領域情報３３５Ｃと、などが関連付けられた１つのデータに構成されている。ここで、行先領域情報３３１Ｅと、進行可能方向領域情報３３１Ｆと、直近車線数領域情報３３１Ｈと、第１の増減車線数領域情報３３１Ｉと、規制領域情報３３１Ｐと、交差点ＩＤ領域情報３３５Ｂと、にて、本発明の第１の経路入力領域情報が構成されている。
【００６１】
ロット番号領域情報３３５Ａは、フッタ領域５４０における左側に、ロット番号領域５４１として表示される情報である。このロット番号領域５４１には、交差点原票フォーム４００のロット番号領域４５４に表示されたメッシュコード４５４Ａがメッシュコード５４１Ａとして表示されている。交差点ＩＤ領域情報３３５Ｂは、ロット番号領域５４１の右側に、経路交差点識別入力領域としての交差点ＩＤ領域５４２として表示される情報である。この交差点ＩＤ領域５４２には、交差点原票フォーム４００の交差点ＩＤ領域４５５に表示された交差点ＩＤ４５５Ａが交差点識別事項としての交差点ＩＤ５４２Ａとして表示されている。ページ番号領域情報３３５Ｃは、交差点ＩＤ領域５４２の右側に、ページ番号の入力を促すページ番号領域５４３として表示される情報である。ここで、行先領域５２５と、進行可能方向領域５２６と、直近車線数領域５２８と、第１の増減車線数領域５２９と、規制領域５３６と、交差点ＩＤ領域５４２と、にて、本発明の第１の経路関連入力領域が構成されている。
【００６２】
方面案内原票情報３４０は、交差点原票フォーム４００および車線原票フォーム５００とは異なる表示画面において、方面案内原票フォーム６００として表示される情報である。そして、方面案内原票情報３４０は、図８に示すように、第１の方面案内関連領域情報３４１と、第２の方面案内関連領域情報３４２と、第３の方面案内関連領域情報３４３と、第４の方面案内関連領域情報３４４と、方面案内フッタ領域情報３４５と、などが関連付けられた１つのデータに構成されている。なお、第１の方面案内関連領域情報３４１、第２の方面案内関連領域情報３４２、第３の方面案内関連領域情報３４３、および、第４の方面案内関連領域情報３４４は、同一の構成を有しているため説明を簡略化する。
【００６３】
第１の方面案内関連領域情報３４１は、方面案内原票フォーム６００のメイン領域６１０における左側に設けられた第１の方面案内関連領域６２０Ａに、調査交差点の交差点接続道路のうちいずれか１つの方面案内に関する各種情報や領域として表示される情報である。そして、第１の方面案内関連領域情報３４１は、図１３に示すように、第２の経路識別入力領域情報としての道路記号領域情報３４１Ａと、付帯領域情報３４１Ｂと、方面案内内容領域情報３４１Ｃと、などが関連付けられた１つのデータに構成されている。
【００６４】
道路記号領域情報３４１Ａは、第１の方面案内関連領域６２０Ａにおける上側に、第２の経路識別入力領域としての道路記号領域６２１として表示される情報である。この道路記号領域６２１には、車線原票フォーム５００の第１の車線関連領域５２０Ａに表示された道路記号５２１Ａが経路識別事項としての道路記号６２１Ａとして表示されている。付帯領域情報３４１Ｂは、道路記号領域６２１の下側に、例えば方面看板の矢印などの模式図や、方面看板などの画像のＩＤ、あるいは、コメントの入力を促す付帯領域６２２として表示される情報である。
【００６５】
方面案内内容領域情報３４１Ｃは、付帯領域６２２の下側に、方面案内の内容の入力を促す１１個の方面案内内容領域６２３として表示される情報である。また、方面案内内容領域情報３４１Ｃは、進行方向領域情報３４１Ｃ１と、地点経路識別入力領域情報としての進行道路記号領域情報３４１Ｃ２と、地点名称入力領域情報としての方面案内名称領域情報３４１Ｃ３と、を備えている。進行方向領域情報３４１Ｃ１は、道路記号領域６２１で表される交差点接続道路から進入可能な交差点接続道路が存在する方向を表す文字や矢印の入力を促す進行方向領域６２３Ａとして表示される情報である。進行道路記号領域情報３４１Ｃ２は、道路記号領域６２１で表される交差点接続道路から進入可能な所定の交差点接続道路の入力を促す地点経路識別入力領域としての進行道路記号領域６２３Ｂとして表示される情報である。この進行道路記号領域情報３４１Ｃ２は行先領域情報３３１Ｅに関連付けられており、行先領域５２５に表示された道路記号５２５Ａのうちいずれか１つが進行道路記号６２３Ｂ１として表示される。方面案内名称領域情報３４１Ｃ３は、進行道路記号６２３Ｂ１で識別される交差点接続道路を進行した際に到達する地点の名称の入力を促す方面案内名称領域６２３Ｃとして表示される情報である。この方面案内名称領域情報３４１Ｃ３は方面案内情報２８０の方面名称情報２８２に関連付けられており、方面案内名称領域６２３Ｃには、上述したように方面名称情報２８２に記録された名称が方面名称６２３Ｃ１として表示される。
【００６６】
第２の方面案内関連領域情報３４２、第３の方面案内関連領域情報３４３、および、第４の方面案内関連領域情報３４４は、第１の方面案内関連領域６２０Ａの右側に並んで設けられた第２の方面案内関連領域６２０Ｂ、第３の方面案内関連領域６２０Ｃ、および、第４の方面案内関連領域６２０Ｄに、それぞれ異なる交差点接続道路に関する上述した各種情報や領域として表示される情報である。
【００６７】
方面案内フッタ領域情報３４５は、方面案内原票フォーム６００における右下側に設けられたフッタ領域６３０に各種情報や領域として表示される情報である。そして、方面案内フッタ領域情報３４５は、図１４に示すように、ロット番号領域情報３４５Ａと、経路交差点識別入力領域情報としての交差点ＩＤ領域情報３４５Ｂと、ページ番号領域情報３４５Ｃと、などが関連付けられた１つのデータに構成されている。ここで、進行道路記号領域情報３４１Ｃ２と、方面案内名称領域情報３４１Ｃ３と、交差点ＩＤ領域情報３４５Ｂと、にて、本発明の第２の経路入力領域情報が構成されている。
【００６８】
ロット番号領域情報３４５Ａは、フッタ領域６３０における左側に、ロット番号領域６３１として表示される情報である。このロット番号領域６３１には、車線原票フォーム５００のロット番号領域５４１に表示されたメッシュコード５４１Ａがメッシュコード６３１Ａとして表示されている。交差点ＩＤ領域情報３４５Ｂは、ロット番号領域６３１の右側に、経路交差点識別入力領域としての交差点ＩＤ領域６３２として表示される情報である。この交差点ＩＤ領域６３２には、車線原票フォーム５００の交差点ＩＤ領域５４２に表示された交差点ＩＤ５４２Ａが交差点識別事項としての交差点ＩＤ６３２Ａとして表示されている。ページ番号領域情報３４５Ｃは、交差点ＩＤ領域６３２の右側に、ページ番号の入力を促すページ番号領域６３３として表示される情報である。ここで、進行道路記号領域６２３Ｂと、方面案内名称領域６２３Ｃと、交差点ＩＤ６３２Ａと、にて、本発明の第２の経路関連入力領域が構成されている。
【００６９】
なお、各方面案内関連領域６２０Ａ〜６２０Ｄは、方面案内原票フォーム６００における相対的な位置が、車線原票フォーム５００における各車線関連領域５２０Ａ〜５２０Ｄの相対的な位置と略一致する状態に設けられている。また、ロット番号領域６３１および交差点ＩＤ領域６３２は、方面案内原票フォーム６００における相対的な位置が、交差点原票フォーム４００および車線原票フォーム５００おけるロット番号領域４５４，５４１および交差点ＩＤ領域４５５，５４２の相対的な位置と略一致する状態に設けられている。
【００７０】
さらに、記憶手段１３０には、例えば交差点や道路、あるいはいわゆる方面看板などの画像に関する画像データが、この画像を特定する画像ＩＤとともに適宜読み出し可能に記憶されている。
【００７１】
メモリ１４０は、入力部１１０で入力操作される設定事項などを適宜読み出し可能に記憶する。また、メモリ１４０には、地図情報生成装置１００全体を動作制御するＯＳ（Operating System）上に展開される各種プログラムなどを記憶している。このメモリ１４０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ１４０としては、ＨＤ、ＤＶＤ、光ディスクなどの記録媒体に読み出し可能に記憶するドライブやドライバなどを備えた構成としてもよい。
【００７２】
処理部１５０は、図示しない各種入出力ポート、例えば入力部１１０が接続されるキー入力ポート、表示部１２０が接続される表示制御ポート、記憶手段１３０が接続される記憶ポート、メモリ１４０が接続されるメモリポート、印刷手段１６０が接続される印刷ポートなどを有する。そして、処理部１５０は、各種プログラムとして、図１に示すように、表示制御手段１５１と、調査フォーム情報生成手段１５２と、情報取得手段としても機能する調査内容情報生成手段としての地図情報更新手段１５３と、印刷制御手段１５４と、などを備えている。
【００７３】
表示制御手段１５１は、調査フォーム情報生成手段１５２や地図情報更新手段１５３の制御により、交差点原票フォーム４００、車線原票フォーム５００、方面案内原票フォーム６００などの各種情報を表示部１２０で表示させる。この表示制御手段１５１は、例えば入力部１１０による入力操作を促して各種情報を設定入力するための各種表示画面などをも表示制御する。
【００７４】
調査フォーム情報生成手段１５２は、調査フォーム情報３１０を生成する。具体的には、調査フォーム情報生成手段１５２は、作業者による入力部１１０の入力操作により、交差点原票フォーム４００、車線原票フォーム５００、方面案内原票フォーム６００を生成する旨の設定入力を認識すると、表示制御手段１５１を制御して、所定の地図を表示部１２０に表示させる。さらに、この地図に存在する所定の交差点を調査交差点として特定する旨の設定入力を認識すると、例えばノード情報２４０に基づいて、調査交差点が大都市部、中都市部、小都市部のうちのいずれかに存在している旨を認識する。そして、調査交差点が大都市部に存在していることを認識した場合、以下の表１に示す条件に基づいて、調査交差点が詳細に調査される対象か否かなどを判断する。ここで、表１における「○」は調査交差点が詳細に調査される対象である旨を示す。
【００７５】
【表１】
2007010905.tif 000003
【００７６】
具体的には、調査フォーム情報生成手段１５２は、例えば調査交差点に対応するノード情報２４０の接続リンク情報２４２に基づいて、大都市部に存在する調査交差点の交差点接続道路を認識する。そして、これら交差点接続道路に対応するリンク情報２１０の道路種別情報２１２に基づいて、交差点接続道路の種別、すなわち交差点接続道路が一般国道、都道府県の主要地方道、指定市の主要地方道、一般都道府県道、指定市の一般市道、道路幅が１３ｍ以上の道路、５．５ｍ以上１３ｍ未満の道路のいずれかである旨を認識する。ここで、道路の種別は、上述した順序で優先度が設定されている。さらに、最も多い種別の数が調査交差点に接続された交差点接続道路の数の半分よりも多い旨を認識すると、この最も多い種別を第１の代表種別および第２の代表種別として認識する。例えば、調査交差点に接続された４個の交差点道路接続道路の種別が、一般国道、一般国道、一般国道、一般都道府県道の場合、一般国道を第１の代表種別および第２の代表種別として認識する。そして、表１に基づいて、この調査交差点が詳細に調査される対象であると判断する。
【００７７】
また、調査フォーム情報生成手段１５２は、最も多い種別の数が調査交差点に接続された交差点接続道路の数の半分またはそれ以下であることを認識すると、最も多い種別および２番目に多い種別を選出する。そして、これら選出した種別のうち優先度が高い方を第１の代表種別として、低い方を第２の代表種別として認識する。さらに、最も多い種別が２つ以上存在する場合、これらの種別のうち優先度が最も高いものを第１の代表種別として、２番目に高いものを第２の代表種別として認識する。また、最も多い種別が１つ存在しかつ２番目に多い種別が２つ以上存在する場合、２番目に多い種別のうち優先度が最も高いものを選出する。そして、この選出した種別および最も多い種別のうち優先度が高い方を第１の代表種別として、低い方を第２の代表種別をとして認識する。例えば、調査交差点に接続された４個の交差点接続道路の種別が、一般国道、一般国道、都道府県の主要地方道、一般都道府県道の場合、一般国道を第１の代表種別として、都道府県の主要地方道を第２の代表種別として認識する。そして、表１に基づいて、この調査交差点が詳細に調査される対象であると判断する。
【００７８】
さらに、調査フォーム情報生成手段１５２は、調査交差点が中都市部に存在していることを認識した場合、この調査交差点の第１の代表種別および第２の代表種別を認識する。そして、以下の表２に示す条件に基づいて、調査交差点が詳細に調査される対象か否かなどを判断する。ここで、表２における「○」は調査交差点が詳細に調査される対象である旨を示し、「△」は簡易的に調査される対象である旨を示す。
【００７９】
【表２】
2007010905.tif 000004
【００８０】
また、調査フォーム情報生成手段１５２は、調査交差点が小都市部に存在していることを認識した場合、この調査交差点の第１の代表種別および第２の代表種別を認識する。そして、以下の表３に示す条件に基づいて、調査交差点が詳細に調査される対象か否かなどを判断する。ここで、表３における「○」は調査交差点が詳細に調査される対象である旨を示し、「×」は調査の必要がない旨を示す。
【００８１】
【表３】
2007010905.tif 000005
【００８２】
そして、調査フォーム情報生成手段１５２は、調査交差点が詳細に調査される対象でありかつ大都市部、中都市部、小都市部のいずれかに存在していることを認識すると、この認識結果に基づいた縮尺の周辺地図４３１が描かれた交差点原票フォーム４００を表示部１２０に表示させる。さらに、交差点種別数字４１３、緯度経度４２０、住所４２１、代表ノードＩＤ４３１Ａ、道路記号４３１Ｂ、交差点近傍地図４４１、メッシュコード４５４Ａ、交差点ＩＤ４５５Ａ、位置番号４５７Ａ、ノードＩＤ４５８Ａを表示させる。そして、この調査交差点に対応するノード情報２４０に基づいて、丸図形４１７Ｄや交差点名称４１８Ａを表示させる。
【００８３】
また、調査フォーム情報生成手段１５２は、調査交差点に関する車線原票フォーム５００を表示部１２０に適宜表示させる。さらに、メッシュコード５４１Ａ、交差点ＩＤ５４２Ａを表示させる。そして、レーン情報２６０と、交差点原票フォーム４００の道路記号４３１Ｂと、などに基づいて、道路記号５２１Ａ、道路記号５２５Ａ、直近車線数５２８Ａ、右増減数５２９Ａ、左増減数５２９Ｂ、第１の流入車線数５３０Ａ、丸図形、流出車線数５３４Ａ、規制内容文字５３６Ａ１などを表示させる。
【００８４】
さらに、調査フォーム情報生成手段１５２は、調査交差点に関する方面案内原票フォーム６００を表示部１２０に適宜表示させる。そして、メッシュコード６３１Ａ、交差点ＩＤ６３２Ａを表示させる。また、方面案内情報２８０と、交差点原票フォーム４００の道路記号４３１Ｂと、などに基づいて、道路記号６２１Ａ、進行道路記号６２３Ｂ１、方面名称６２３Ｃ１などを表示させる。
【００８５】
そして、調査フォーム情報生成手段１５２は、これら交差点原票フォーム４００、車線原票フォーム５００、方面案内原票フォーム６００を調査フォーム情報３１０として記憶手段１３０に記憶させる旨の設定入力を認識すると、これらを調査フォーム情報３１０として記憶手段１３０に記憶させる。
【００８６】
また、調査フォーム情報生成手段１５２は、調査交差点が簡易的に調査される対象でありかつ大都市部、中都市部、小都市部のいずれかに存在していることを認識すると、この認識結果に基づいた縮尺の周辺地図４３１が描かれた交差点原票フォーム４００のみに関する調査フォーム情報３１０を生成する処理をする。さらに、調査交差点が調査の必要がない旨を認識すると、調査フォーム情報３１０の生成処理を実施しない。
【００８７】
地図情報更新手段１５３は、調査交差点に関する各種情報の設定入力に基づいて、ノード情報２４０、レーン情報２６０、方面案内情報２８０を適宜更新する処理（以下、交差点情報の更新処理と適宜称す）をする。具体的には、地図情報更新手段１５３は、所定の調査交差点の交差点情報の更新処理を実施する旨の設定入力を認識すると、この調査交差点に対応する調査フォーム情報３１０を記憶手段１３０から取得する。そして、表示制御手段１５１を制御して、例えば交差点原票フォーム４００を表示部１２０に表示させる。さらに、丸図形４１７Ｄや交差点名称４１８Ａの設定入力を認識すると、これらを表示させるとともに、調査交差点に対応するノード情報２４０の信号機フラグ情報２４５や固有地点情報２４６に、設定入力された内容を記録する処理を、ノード情報２４０の更新処理として実施する。
【００８８】
また、地図情報更新手段１５３は、車線原票フォーム５００を表示部１２０に適宜表示させる。そして、道路記号５２５Ａ、直近車線数５２８Ａ、右増減数５２９Ａ、左増減数５２９Ｂ、第１の流入車線数５３０Ａ、流出車線数５３４Ａ、規制内容文字５３６Ａ１などの設定入力を認識すると、これらを表示させるとともに、このレーンなどに対応するレーン情報２６０の矢印情報２６２、直近車線数情報２６３、車線数増減情報２６４、流出側車線数情報２６５、通行状態情報２６６などに設定入力された内容を記録する処理を、レーン情報２６０の更新処理として実施する。
【００８９】
さらに、地図情報更新手段１５３は、方面案内原票フォーム６００を表示部１２０に適宜表示させる。そして、進行道路記号６２３Ｂ１、方面名称６２３Ｃ１などの設定入力を認識すると、これらを表示させるとともに、この調査交差点の方面案内に対応する方面案内情報２８０の方面名称情報２８２に設定入力された内容を記録する処理を、方面案内情報２８０の更新処理として実施する。
【００９０】
また、地図情報更新手段１５３は、交差点ＩＤ領域４５５，５４２，６３２、ノードＩＤ領域４５８に表示された交差点ＩＤ４５５Ａ，５４２Ａ，６３２ＡやノードＩＤ４５８Ａの設定入力を認識すると、これらに対応する地図を表示部１２０に表示させる。そして、地図情報更新手段１５３は、設定入力された各種情報を記憶手段１３０に記憶させる旨の設定入力を認識すると、調査フォーム情報３１０を更新する処理をする。
【００９１】
印刷制御手段１５４は、印刷手段１６０を制御して、表示部１２０に表示された交差点原票フォーム４００、車線原票フォーム５００、方面案内原票フォーム６００を図１５に示すような交差点原票１０、図１６に示すような車線原票２０、図１７に示すような方面案内原票３０を備えた調査シートとしての調査原票１として印刷出力させる。ここで、交差点原票１０、車線原票２０、方面案内原票３０は、例えばＡ４サイズの紙などの印刷媒体に交差点原票フォーム４００、車線原票フォーム５００、方面案内原票フォーム６００が印刷出力された印刷物である。
【００９２】
〔地図情報生成装置の作用効果〕
上述したように、上記実施の形態では、調査フォーム情報３１０に、調査交差点に関する調査内容の入力を促す交差点原票フォーム４００として表示される交差点原票情報３２０と、交差点接続道路の車線に関する調査内容の入力を促す車線原票フォーム５００として表示される車線原票情報３３０と、交差点接続道路の方面案内に関する調査内容の入力を促す方面案内原票フォーム６００として表示される方面案内原票情報３４０と、を設けている。また、交差点原票情報３２０に、調査交差点を含む周辺地図４３１が表される周辺図領域４３０として表示される周辺図領域情報３２２と、調査交差点の信号機に関する入力を促す信号機領域４１７として表示される信号機領域情報３２１Ｇなどと、を設けている。さらに、車線原票情報３３０に、調査交差点の交差点接続道路を識別する道路記号５２１Ａが表される道路記号領域５２１として表示される道路記号領域情報３３１Ａと、この道路記号領域５２１の道路記号５２１Ａで識別される交差点接続道路の車線において進入可能な交差点接続道路の入力を促す行先領域５２５として表示される行先領域情報３３１Ｅなどと、を設けている。また、方面案内原票情報３４０に、道路記号６２１Ａが表される道路記号領域６２１として表示される道路記号領域情報３４１Ａと、道路記号６２１Ａで識別される交差点接続道路に調査交差点を介して接続された交差点接続道路の方面案内の入力を促す方面案内名称領域６２３Ｃとして表示される方面案内名称領域情報３４１Ｃ３などと、を設けている。このため、作業者は、周辺地図４３１で調査交差点の位置を確認しつつ、あらかじめ設けられた信号機領域４１７や行先領域５２５あるいは方面案内名称領域６２３Ｃなどに調査交差点や交差点接続道路に関する各種情報を入力できる。したがって、調査箇所の丸印や道路形状の情報が表された道路広域図を用いて調査する従来の構成と比べて、利用者に調査交差点の調査を容易に実施させることができる。
【００９３】
そして、周辺地図４３１における交差点接続道路上の所定の地点を表すノードＮ近傍に、道路記号５２１Ａと同じアルファベットを道路記号４３１Ｂとして表示している。このため、車線原票２０の道路記号５２１Ａと同じ道路記号４３１Ｂを周辺図領域４３０から探し出させることにより、第１の車線関連領域５２０Ａなどに各種情報が入力された交差点接続道路の位置を容易に認識させることができる。また、交差点情報の更新処理時における交差点接続道路の特定処理を支援できる。
【００９４】
さらに、交差点原票フォーム４００に、周辺図領域４３０と、交差点形状領域４４０と、を設けている。そして、交差点形状領域４４０に、周辺地図４３１の調査交差点近傍が拡大された交差点近傍地図４４１を表示している。このため、周辺地図４３１により調査交差点周辺の状態を認識させるとともに、交差点近傍地図４４１により調査交差点近傍の状態を認識させることができる。したがって、周辺地図４３１のみを表示する構成と比べて、利便性を向上できる。また、交差点近傍地図４４１に周辺地図４３１と比べて多くの空白領域が設けられるため、調査交差点などに関する各種情報を容易に入力させることができる。
【００９５】
そして、調査交差点が大都市部に存在する場合、２次メッシュのマッチングメッシュ情報ＭＭxを１６分割したものに対応する周辺地図４３１を表示させる。また、中都市部に存在する場合、２次メッシュのマッチングメッシュ情報ＭＭxに対応する周辺地図４３１を表示させる。さらに、小都市部に存在する場合、１次メッシュのマッチングメッシュ情報ＭＭxに対応する周辺地図４３１を表示させる。すなわち、周辺図領域４３０に、調査交差点が存在する地域に応じた縮尺の周辺地図４３１を表示させる。このため、道路が密集する大都市部の周辺地図４３１が、道路が密集していない小都市部よりも大きい縮尺で表示されることとなり、都市部に存在する調査交差点や交差点接続道路を容易に認識させることができる。また、大都市部と比べて道路が密集していない中都市部や小都市部に存在する場合、各マッチングメッシュ情報ＭＭxを分割させないものに対応する周辺地図４３１を表示させることで、交差点情報の更新単位がまとめられるため、更新処理時の工程管理をし易くできる。
【００９６】
さらに、交差点原票フォーム４００に、調査交差点を含むマッチングメッシュ情報ＭＭxのメッシュコードがメッシュコード４５４Ａとして表示されたロット番号領域４５４を設けている。このため、交差点近傍地図４４１の表示の際に設定入力されるメッシュコード４５４Ａを表示させるので、作業者に例えば交差点情報の更新処理時における交差点近傍地図４４１の表示設定入力を容易に実施させることができ、交差点情報更新処理の効率を上げることができる。
【００９７】
また、交差点原票フォーム４００に、交差点名称４１８Ａの入力を促す交差点名称領域４１８を設けている。このため、調査交差点の名称を調査内容として入力させることができ、交差点原票フォーム４００がいずれの調査交差点のものかを容易に特定させることができる。
【００９８】
そして、交差点原票フォーム４００に、調査交差点における信号機の有無に関する入力を促す信号機領域４１７を設けている。このため、調査交差点における信号機の有無を調査内容として入力させることができ、調査交差点のより詳細な属性を調査させることができる。
【００９９】
さらに、信号機領域４１７に、信号存在文字４１７Ａおよび信号非存在文字４１７Ｂを表示させている。そして、信号存在文字４１７Ａおよび信号非存在文字４１７Ｂのうちいずれか１つを囲む丸図形４１７Ｄの入力を促す構成としている。このため、作業者に「有」や「無」の文字と比べて入力が容易な丸形状を入力させるだけでよく、調査作業の効率を上げることができる。
【０１００】
そして、交差点原票フォーム４００に、調査交差点の緯度経度を表す緯度経度４２０および住所を表す住所４２１を表示させている。このため、調査交差点の場所を特定する緯度経度や住所を作業者に認識させることができ、調査交差点への移動を支援できる。
【０１０１】
さらに、交差点原票フォーム４００、車線原票フォーム５００、方面案内原票フォーム６００を別々の表示画面上に表示させる構成としている。すなわち、別々の紙に印刷される構成としている。そして、交差点原票フォーム４００、車線原票フォーム５００、方面案内原票フォーム６００に、調査交差点を特定する交差点ＩＤ４５５Ａ，５４２Ａ，６３２Ａが表示された交差点ＩＤ領域４５５，５４２，６３２を設け、交差点原票フォーム４００、車線原票フォーム５００、方面案内原票フォーム６００を関連付ける構成としている。このため、交差点原票フォーム４００、車線原票フォーム５００、方面案内原票フォーム６００に、それぞれ調査交差点、交差点接続道路の車線、交差点接続道路の方面案内に関する情報のみが表示あるいは入力されるので、これらを１つの表示画面上に表示させる構成と比べて、各種情報の表示領域や入力領域を大きくできる。したがって、交差点原票フォーム４００、車線原票フォーム５００、方面案内原票フォーム６００を１つの表示画面上に表示させる構成と比べて、各種情報の視認や入力を容易に実施させることができる。また、交差点近傍地図４４１などの表示の際に設定入力される交差点ＩＤ４５５Ａ，５４２Ａ，６３２Ａを表示させるので、作業者に例えば交差点情報の更新処理時における交差点近傍地図４４１などの表示設定入力を容易に実施させることができ、交差点情報更新処理の効率をより上げることができる。
【０１０２】
そして、交差点原票フォーム４００に、調査交差点の代表ノードＮdを特定するノードＩＤ４５８Ａが表示されたノードＩＤ領域４５８を設けている。このため、交差点近傍地図４４１などの表示の際に設定入力されるノードＩＤ４５８Ａを表示させるので、作業者に例えば交差点情報の更新処理時における交差点近傍地図４４１などの表示設定入力を容易に実施させることができ、交差点情報更新処理の効率をさらに上げることができる。
【０１０３】
また、交差点ＩＤ領域４５５，５４２，６３２を、交差点原票フォーム４００、車線原票フォーム５００、方面案内原票フォーム６００における相対的な位置が略一致する状態に設けている。このため、作業者に交差点ＩＤ４５５Ａ，５４２Ａ，６３２Ａを容易に認識させることができ、調査作業や交差点情報の更新処理の効率をより上げることができる。
【０１０４】
さらに、交差点接続経路に関する調査フォームとして、交差点接続経路の車線に関する車線原票フォーム５００と、交差点接続道路の方面案内に関する方面案内原票フォーム６００と、を設けている。このため、交差点接続道路の車線に関する情報と、交差点接続道路の方面案内に関する情報と、を交差点接続道路の調査内容として入力させることができる。また、車線原票フォーム５００および方面案内原票フォーム６００のうちいずれか一方のみを設ける構成と比べて、交差点接続道路に関するより詳細な調査が可能な構成を提供できる。
【０１０５】
また、車線原票フォーム５００、方面案内原票フォーム６００に、それぞれ各車線関連領域５２０Ａ〜５２０Ｄ、各方面案内関連領域６２０Ａ〜６２０Ｄを設けている。このため、一般的に代表的な調査交差点の形状である４個の交差点接続道路が接続された調査交差点の調査内容を、１つの車線原票フォーム５００あるいは方面案内原票フォーム６００に入力でき、例えば１つの車線原票フォーム５００に第１の車線関連領域５２０Ａのみを設ける構成と比べて、調査作業の効率を上げることができる。また、例えば１枚の車線原票２０に第１の車線関連領域５２０Ａのみを印刷する構成と比べて、使用する車線原票２０の数を減らすことができ、調査原票１の運搬や管理を容易にできる。
【０１０６】
そして、車線原票フォーム５００に、交差点直近の車線数に関する直近車線数５２８Ａの入力を促す直近車線数領域５２８を設けている。このため、交差点接続道路の形状をより詳細に入力させることができ、交差点接続道路の車線に関するより詳細な属性を調査させることができる。
【０１０７】
さらに、車線原票フォーム５００に、交差点直近に進入する際に右側および左側に増減する車線数に関する右増減数５２９Ａ、左増減数５２９Ｂの入力を促す第１の増減車線数領域５２９を設けている。このため、交差点接続道路の形状をさらに詳細に入力させることができ、交差点接続道路の車線に関するさらに詳細な属性を調査させることができる。
【０１０８】
そして、車線原票フォーム５００に、レーンにおける進入可能な交差点接続道路を識別する道路記号５２５Ａの入力を促す行先領域５２５を設けている。このため、各車線関連領域５２０Ａ〜５２０Ｄの行先領域５２５および道路記号領域５２１、周辺図領域４３０の道路記号４３１Ｂの参照により、所定のレーンにおいて進入可能な交差点接続道路の属性やその位置関係を容易に認識できる。
【０１０９】
さらに、車線原票フォーム５００に、十字図形５２６Ａが表示された進行可能方向領域５２６を設けている。そして、十字図形５２６Ａの十字に略沿って矢印の入力を促す構成としている。このため、十字図形５２６Ａを表示させない構成と比べて、作業者に矢印の入力を容易にさせることができ、調査作業の効率をより上げることができる。
【０１１０】
そして、車線原票フォーム５００に、交差点接続道路の規制に関する規制内容文字５３６Ａ１の入力を促す規制領域５３６を設けている。このため、交差点接続道路の属性をさらに詳細に入力させることができ、交差点接続道路に関するさらに詳細な属性を調査させることができる。
【０１１１】
さらに、方面案内原票フォーム６００に、進入可能な交差点接続道路を識別する進行道路記号６２３Ｂ１が表示される進行道路記号領域６２３Ｂと、この進行道路記号６２３Ｂ１で識別される交差点接続道路を進行した際に到達する地点などに名称を表す方面名称６２３Ｃ１の入力を促す方面案内名称領域６２３Ｃと、を設けている。このため、交差点接続道路を進行した際に到達する地点の名称を調査内容として入力させることができ、交差点接続道路の方面案内に関するより詳細な属性を調査させることができる。
【０１１２】
また、同一の道路記号５２１Ａ，６２１Ａが表示された各車線関連領域５２０Ａ〜５２０Ｄおよび各方面案内関連領域６２０Ａ〜６２０Ｄを、車線原票フォーム５００および方面案内原票フォーム６００における略等しい位置に配置している。このため、作業者に、特定の交差点接続道路に関する各車線関連領域５２０Ａ〜５２０Ｄ、方面案内関連領域６２０Ａ〜６２０Ｄの位置を容易に特定させることでき、車線や方面案内の調査内容の入力を容易にさせることができる。したがって、調査作業の効率をさらに上げることができる。
【０１１３】
そして、ノード情報２４０に従前に調査された内容が記録されている場合に、この記録された内容に対応させて丸図形４１７Ｄや交差点名称４１８Ａを表示させる構成としている。このため、従前の調査から変化がない場合、各種情報を入力させることなく調査を完了させることができる。したがって、調査作業の効率をより上げることができる交差点原票１０を提供できる。
【０１１４】
また、レーン情報２６０や方面案内情報２８０に従前に調査された内容が記録されている場合に、この記録された内容に対応させて道路記号５２５Ａ、直近車線数５２８Ａ、右増減数５２９Ａ、左増減数５２９Ｂ、第１の流入車線数５３０Ａ、流出車線数５３４Ａ、規制内容文字５３６Ａ１、進行道路記号６２３Ｂ１、方面名称６２３Ｃ１を表示させる構成としている。このため、従前の調査から変化がない場合、各種情報を適宜入力させることなく調査を完了させることができる。したがって、調査作業の効率をより上げることができる車線原票２０、方面案内原票３０を提供できる。
【０１１５】
さらに、交差点原票フォーム４００、車線原票フォーム５００、方面案内原票フォーム６００を、交差点原票１０、車線原票２０、方面案内原票３０として印刷可能な構成としている。このため、例えばコンピュータなどに調査フォーム情報３１０を記憶させ図示しない表示装置に交差点原票フォーム４００などを適宜表示させて調査する構成と比べて、現地調査に必要な構成の簡略化を図ることができる。
【０１１６】
そして、地図情報生成装置１００は、調査フォーム情報３１０に基づいて交差点原票フォーム４００などを表示部１２０に表示させ、例えば交差点名称４１８Ａの入力を認識すると、ノード情報２４０の固有地点情報２４６に交差点名称４１８Ａを記録する。このため、利用者は、交差点原票フォーム４００に従って各種情報を入力するだけの簡単な方法で、交差点情報の更新処理を実施できる。したがって、利便性が高い地図情報生成装置１００を提供できる。
【０１１７】
〔実施の形態の変形〕
なお、本発明は、上述した一実施の形態に限定されるものではなく、本発明の目的を達成できる範囲で以下に示される変形をも含むものである。
【０１１８】
すなわち、周辺地図４３１に道路記号４３１Ｂを表示させずに、例えば道路記号領域５２１に周辺地図４３１上における交差点接続道路が延びる方向を道路記号５２１Ａとして表示させて、各車線関連領域５２０Ａ〜５２０Ｄに対応する交差点接続道路を識別させる構成としてもよい。このような構成にすれば、周辺図領域４３０に表示させる情報量を減らすことができ、周辺地図４３１の視認性を向上できる。
【０１１９】
また、交差点原票フォーム４００に、周辺図領域４３０および交差点形状領域４４０のうちいずれか一方のみを設ける構成としてもよい。さらに、交差点原票フォーム４００に、信号機領域４１７、交差点名称領域４１８、緯度経度４２０、住所４２１、ロット番号領域４５４のうち少なくともいずれか１つを設けない構成としてもよい。これらのような構成にすれば、交差点原票フォーム４００の構成を簡略にできる。そして、信号機領域４１７、交差点名称領域４１８などを大きくでき、各種情報の視認や入力を容易に実施させることができる。
【０１２０】
さらに、周辺地図４３１の縮尺を、調査交差点が存在する地域に応じて変更しない構成としてもよい。このような構成にすれば、調査フォーム情報生成手段１５２に調査交差点が存在する地域に応じて縮尺を設定する機能を設ける必要がなく、構成を簡略にできる。なお、交差点近傍地図４４１の縮尺を調査交差点の地域に応じて変更する構成としてもよい。
【０１２１】
また、信号機領域４１７に信号存在文字４１７Ａおよび信号非存在文字４１７Ｂを表示させずに、作業者に「有」や「無」の文字の入力を促す構成としてもよい。このような構成にすれば、交差点原票フォーム４００に表示させる情報量を減らすことができ、印刷時に使用するインク量を低減できる。
【０１２２】
そして、車線原票フォーム５００に、各車線関連領域５２０Ａ〜５２０Ｄのうち少なくとも１つのみを設ける構成、あるいは、さらに他の車線関連領域を設ける構成としてもよい。各車線関連領域５２０Ａ〜５２０Ｄのうち少なくとも１つのみを設ける構成とすれば、上記実施の形態の構成と比べて、各車線関連領域５２０Ａ〜５２０Ｄなどを大きくでき、各種情報の視認や入力を容易に実施させることができる。また、さらに他の車線関連領域を設ける構成とすれば、上記実施の形態の構成と比べて、１つの車線原票フォーム５００に多くの交差点接続道路に関する調査内容を入力でき、調査作業の効率を上げることができる。さらに、使用する車線原票２０などの数を適宜減らすことができ、調査原票１の運搬や管理をより容易にできる。なお、方面案内原票フォーム６００に、同様の構成を適用してもよい。
【０１２３】
また、交差点原票フォーム４００と、車線原票フォーム５００および方面案内原票フォーム６００のうち少なくともいずれか一方と、を１つの表示画面上で表示させる構成してもよい。すなわち、調査原票１を１枚または２枚の印刷物で構成してもよい。このような構成にすれば、調査原票１の運搬や管理をさらに容易にできる。
【０１２４】
さらに、調査フォームに、車線原票フォーム５００および方面案内原票フォーム６００のうちいずれか一方を設けない構成としてもよい。このような構成にすれば、１つの調査交差点に関する調査内容を減らすことができ、作業者の負荷を低減できる。
【０１２５】
そして、交差点ＩＤ領域４５５，５４２，６３２を、交差点原票フォーム４００、車線原票フォーム５００、方面案内原票フォーム６００における相対的な位置が略一致しない状態に設ける構成としてもよい。さらに、同一の道路記号５２１Ａ，６２１Ａが表示された各車線関連領域５２０Ａ〜５２０Ｄ、各方面案内関連領域６２０Ａ〜６２０Ｄを、車線原票フォーム５００および方面案内原票フォーム６００における略等しい位置に配置しない構成としてもよい。これらのような構成にしても、従来の構成と比べて、利用者に調査交差点の調査を容易に実施させることができる。
【０１２６】
また、車線原票フォーム５００に、行先領域５２５、進行可能方向領域５２６、直近車線数領域５２８、第１の増減車線数領域５２９、規制領域５３６のうちいずれか１つを設けない構成としてもよい。このような構成にすれば、車線原票フォーム５００の構成を簡略にできる。そして、各領域などを大きくでき、各種情報の視認や入力を容易に実施させることができる。
【０１２７】
さらに、進行可能方向領域５２６に十字図形５２６Ａを表示させない構成としてもよい。このような構成にすれば、車線原票フォーム５００に表示させる情報量を減らすことができ、各種情報の視認性を向上できる。また、印刷時に使用するインク量をより低減できる。
【０１２８】
そして、ノード情報２４０、レーン情報２６０、方面案内情報２８０に従前に調査された内容が記録されている場合であっても、これら記録された内容に対応させた情報を表示させない構成としてもよい。このような構成にしても、従来の構成と比べて、利用者に調査交差点の調査を容易に実施させることができる。
【０１２９】
さらに、本発明の調査フォーム情報を、鉄道や船舶あるいは航空機の経路における交差点に関する調査内容の入力を促す構成に適用してもよい。
【０１３０】
その他、本発明の実施の際の具体的な構造および手順は、本発明の目的を達成できる範囲で他の構造などに適宜変更できる。
【０１３１】
〔実施の形態の効果〕
上述したように、上記実施の形態では、調査フォーム情報３１０に、交差点原票情報３２０と、車線原票情報３３０と、などを設けている。また、交差点原票情報３２０に、周辺地図４３１が表される周辺図領域４３０として表示される周辺図領域情報３２２と、信号機に関する入力を促す信号機領域４１７として表示される信号機領域情報３２１Ｇなどと、を設けている。さらに、車線原票情報３３０に、交差点接続道路を識別する道路記号５２１Ａが表される道路記号領域５２１として表示される道路記号領域情報３３１Ａと、この道路記号領域５２１の道路記号５２１Ａで識別される交差点接続道路の車線において進入可能な交差点接続道路の入力を促す行先領域５２５として表示される行先領域情報３３１Ｅなどと、を設けている。このため、作業者は、周辺地図４３１で調査交差点の位置を確認しつつ、あらかじめ設けられた信号機領域４１７や行先領域５２５などに調査交差点や交差点接続道路に関する各種情報を入力できる。したがって、調査箇所の丸印や道路形状の情報が表された道路広域図を用いて調査する従来の構成と比べて、利用者に調査交差点の調査を容易に実施させることができる。
【０１３２】
そして、交差点原票フォーム４００、車線原票フォーム５００、方面案内原票フォーム６００を、交差点原票１０、車線原票２０、方面案内原票３０として印刷可能な構成としている。このため、例えばコンピュータなどに調査フォーム情報３１０を記憶させ図示しない表示装置に交差点原票フォーム４００などを適宜表示させて調査する構成と比べて、現地調査に必要な構成の簡略化を図ることができる。
【０１３３】
さらに、地図情報生成装置１００は、調査フォーム情報３１０に基づいて交差点原票フォーム４００などを表示部１２０に表示させ、例えば交差点名称４１８Ａの入力を認識すると、ノード情報２４０の固有地点情報２４６に交差点名称４１８Ａを記録する。このため、利用者は、交差点原票フォーム４００に従って各種情報を入力するだけの簡単な方法で、交差点情報の更新処理を実施できる。したがって、利便性が高い地図情報生成装置１００を提供できる。
【図面の簡単な説明】
【０１３４】
【図１】本発明の一実施の形態に係る地図情報生成装置の概略構成を示すブロック図である。
【図２】前記一実施の形態における地図情報を構成する表示用データのテーブル構造を模式的に示す概念図である。
【図３】前記一実施の形態における地図情報を構成するマッチングデータのテーブル構造を模式的に示す概念図である。
【図４】前記一実施の形態におけるリンク情報テーブルの概略構成を示す模式図である。
【図５】前記一実施の形態におけるノード情報テーブルの概略構成を示す模式図である。
【図６】前記一実施の形態におけるレーン情報テーブルの概略構成を示す模式図である。
【図７】前記一実施の形態における方面案内情報テーブルの概略構成を示す模式図である。
【図８】前記一実施の形態における調査フォーム情報テーブルの概略構成を示す模式図である。
【図９】前記一実施の形態における交差点ヘッダ領域情報の概略構成を示す模式図である。
【図１０】前記一実施の形態における交差点フッタ領域情報の概略構成を示す模式図である。
【図１１】前記一実施の形態における第１の車線関連領域情報の概略構成を示す模式図である。
【図１２】前記一実施の形態における車線フッタ領域情報の概略構成を示す模式図である。
【図１３】前記一実施の形態における第１の方面案内関連領域情報の概略構成を示す模式図である。
【図１４】前記一実施の形態における方面案内フッタ領域情報の概略構成を示す模式図である。
【図１５】前記一実施の形態における交差点原票を示す模式図である。
【図１６】前記一実施の形態における車線原票を示す模式図である。
【図１７】前記一実施の形態における方面案内原票を示す模式図である。
【符号の説明】
【０１３５】
１………調査シートとしての調査原票
１００………情報生成装置としての地図情報生成装置
１２０………表示手段としての表示部
１５１………表示制御手段
１５３………情報取得手段としても機能する調査内容情報生成手段としての地図情報更新手段
２４０………調査内容情報としても機能するノード情報
２６０………調査内容情報としても機能するレーン情報
２８０………調査内容情報としても機能する方面案内情報
３１０………調査フォーム情報
３２０………交差点関連入力情報としての交差点原票情報
３２１Ｇ……信号機入力領域情報としての信号機領域情報
３２１Ｈ……交差点名称入力領域情報としての交差点名称領域情報
３２２………第１の交差点地図入力領域情報としての周辺図領域情報
３２３………第２の交差点地図入力領域情報としての交差点形状領域情報
３２４Ｄ……地図識別入力領域情報としてのロット番号領域情報
３２４Ｅ……交差点識別入力領域情報としての交差点ＩＤ領域情報
３３０………経路関連入力情報を構成する車線関連入力情報としての車線原票情報
３３１Ａ……第１の経路識別入力領域情報としての道路記号領域情報
３３１Ｅ……進行経路識別入力領域情報としての行先領域情報
３３１Ｆ……進行方向入力領域情報としての進行可能方向領域情報
３３１Ｈ……直近数入力領域情報としての直近車線数領域情報
３３１Ｉ……増減数入力領域情報としての第１の増減車線数領域情報
３３１Ｐ……進行規制入力領域情報としての規制領域情報
３３５Ｂ，３４５Ｂ…経路交差点識別入力領域情報としての交差点ＩＤ領域情報
３４０………経路関連入力情報を構成する到達地点関連入力情報としての方面案内原票情報
３４１Ａ……第２の経路識別入力領域情報としての道路記号領域情報
３４１Ｃ２…地点経路識別入力領域情報としての進行道路記号領域情報
３４１Ｃ３…地点名称入力領域情報としての方面案内名称領域情報
４００………調査フォームとしての交差点原票フォーム
４１７………信号機入力領域としての信号機領域
４１８………交差点名称入力領域としての交差点名称領域
４３０………第１の交差点地図領域としての周辺図領域
４３１………第１の交差点地図としての周辺地図
４４０………第２の交差点地図領域としての交差点形状領域
４４１………第２の交差点地図としての交差点近傍地図
４５４………地図識別入力領域としてのロット番号領域
４５４Ａ……地図識別事項としてのメッシュコード
４５５………交差点識別入力領域としての交差点ＩＤ領域
４５５Ａ，５４２Ａ，６３２Ａ…交差点識別事項としての交差点ＩＤ
５００………調査フォームとしての車線原票フォーム
５２１………第１の経路識別入力領域としての道路記号領域
５２１Ａ，６２１Ａ…経路識別事項としての道路記号
５２５………進行経路識別入力領域としての行先領域
５２６………進行方向入力領域としての進行可能方向領域
５２８………直近数入力領域としての直近車線数領域
５２９………増減数入力領域としての第１の増減車線数領域
５３６………進行規制入力領域としての規制領域
５４２，６３２…経路交差点識別入力領域としての交差点ＩＤ領域
６００………調査フォームとしての方面案内原票フォーム
６２１………第２の経路識別入力領域としての道路記号領域
６２３Ｂ……地点経路識別入力領域としての進行道路記号領域
６２３Ｃ……地点名称入力領域としての方面案内名称領域
【図１】
2007010905.tif 000006
【図２】
2007010905.tif 000007
【図３】
2007010905.tif 000008
【図４】
2007010905.tif 000009
【図５】
2007010905.tif 000010
【図６】
2007010905.tif 000011
【図７】
2007010905.tif 000012
【図８】
2007010905.tif 000013
【図９】
2007010905.tif 000014
【図１０】
2007010905.tif 000015
【図１１】
2007010905.tif 000016
【図１２】
2007010905.tif 000017
【図１３】
2007010905.tif 000018
【図１４】
2007010905.tif 000019
【図１５】
2007010905.tif 000020
【図１６】
2007010905.tif 000021
【図１７】
2007010905.tif 000022